(57)【要約】【課題】全体の外観や操作画面のデザイン性を良くするとともに、多種類の入力可能な操作があっても、直観的に操作のしやすい分析装置を提供する。【解決手段】各種化学測定に用いられる分析装置１００であって、画像が表示されるとともに、操作者によるタッチスライド動作を検出可能なタッチパネルディスプレイ３と、予め設定された複数の入力受付方向のうち、どの方向にタッチスライド動作が入力されたかを検出する入力方向検出部４と、前記タッチパネルディスプレイ３に前記画像を表示するものであり、前記入力方向検出部により検出されたタッチスライド動作の方向に応じて前記画像の表示態様を変更する表示制御部５と、前記タッチパネルディスプレイに操作者がタッチした場合に、前記画像上に前記入力受付方向を示すガイドをさらに表示するガイド表示部６と、を備えた。【選択図】図1
2012184971.tif 000002
【特許請求の範囲】
【請求項１】
各種化学測定に用いられる分析装置であって、
画像が表示されるとともに、操作者によるタッチスライド動作を検出可能なタッチパネルディスプレイと、
予め設定された複数の入力受付方向のうち、どの方向にタッチスライド動作が入力されたかを検出する入力方向検出部と、
前記タッチパネルディスプレイに前記画像を表示するものであり、前記入力方向検出部により検出されたタッチスライド動作の方向に応じて前記画像の表示態様を変更する表示制御部と、
前記タッチパネルディスプレイに操作者がタッチした場合に、前記画像上に前記入力受付方向を示すガイドをさらに表示するガイド表示部と、を備えたことを特徴とする分析装置。
【請求項２】
前記画像には複数の表示領域があり、
前記入力方向検出部は、前記表示領域ごとに入力受付方向がそれぞれ設定されており、
前記ガイド表示部は、操作者がタッチした表示領域に設定されている入力受付方向を示すガイドを表示するように構成された請求項１記載の分析装置。
【請求項３】
前記ガイド表示部が、操作者がタッチした表示領域に設定されている入力受付方向を示すガイドを、タッチされている表示領域内に表示するように構成された請求項２記載の分析装置。
【発明の詳細な説明】
【技術分野】
【０００１】
本発明は、ｐＨや酸化還元電位、イオン濃度、導電率等その他様々な化学測定に用いられる分析装置に関するものである。
【背景技術】
【０００２】
従来この種の分析装置では、各種化学測定により測定された値を表示する表示器と、前記表示器の表示態様を切り替えたり、分析装置の動作を制御したりするための操作部とを別々に備えたものが用いられている（特許文献１参照）。
【０００３】
ところで、この種の分析装置等においては、よりデザイン性に優れており、分析装置の操作も行いやすいものが求められている。このようなニーズに応えるために、例えば、前記表示器と操作部とを一体にすることができるタッチパネルディスプレイを用いた分析装置がある。より具体的には、従来であれば物理的な測定開始スイッチ等が画面とは別に設けられていたが、タッチパネルディスプレイ内に表示されるアイコンへと置き換えられる等している。
【先行技術文献】
【特許文献】
【０００４】
【特許文献１】特開２００４−３２５０７７号公報
【発明の概要】
【発明が解決しようとする課題】
【０００５】
しかしながら、タッチパネルディスプレイを採用し、アイコンを単にタッチするだけの入力方法では、分析装置のような複雑な操作を必要とするものの場合、直観的に操作しづらい場合がある。例えば、校正、測定、設定等といった複数種類の操作をタッチパネルで行えるようにしようとすると、見やすさ等といった観点からそれぞれを別のページとして、多層構造の画面構成にしておく必要がある。すると、ある操作を行うことができる階層から、別の操作を行うことができる階層へとスムーズに移動しようとすると、操作者はアイコンの場所やそれを押す順番等をしっかり覚えておく必要があり、直観的に使用する事は難しい。
【０００６】
また、タッチパネルディスプレイに表示されている測定値について詳しく知りたい場合には、その測定レンジや、表示されている区間等を適宜調整する必要がある。このような場合でも、アイコンをタッチする入力方法ではその拡大縮小量に応じて複数回タッチする必要がある等、操作が煩雑になる場合がある。
【０００７】
加えて、分析装置において操作できる機能や、グラフ等の解析機能をより付加していくと、タッチ入力だけでは、更に用途ごとにアイコンを追加していく必要があり、表示画面が込み入ってしまい美観の損なわれたものとなってしまうといった問題もある。
【０００８】
本願発明は上述したような問題を鑑みてなされたものであり、タッチパネルディスプレイを用いることにより全体の外観や操作画面のデザイン性を良くするとともに、多種類の入力可能な操作があっても、直観的に操作のしやすい分析装置を提供することを目的とする。
【課題を解決するための手段】
【０００９】
すなわち、本発明の分析装置は、各種化学測定に用いられる分析装置であって、画像が表示されるとともに、操作者によるタッチスライド動作を検出可能なタッチパネルディスプレイと、予め設定された複数の入力受付方向のうち、どの方向にタッチスライド動作が入力されたかを検出する入力方向検出部と、前記タッチパネルディスプレイに前記画像を表示するものであり、前記入力方向検出部により検出されたタッチスライド動作の方向に応じて前記画像の表示態様を変更する表示制御部と、前記タッチパネルディスプレイに操作者がタッチした場合に、前記画像上に前記入力受付方向を示すガイドをさらに表示するガイド表示部と、を備えたことを特徴とする。
【００１０】
このようなものであれば、前記ガイド表示部が前記タッチパネルディスプレイに操作者がタッチした倍に前記画像上に前記入力受付方向を示すように構成されているので、どの方向にタッチスライド動作すれば、表示されている画像の表示態様を変更することができるのかについて直観的に理解することができる。また、タッチされていない間はガイドが表示されないので、例えば操作用のアイコン等を画面上に常に配置しておく必要がなく、その他の測定値等の情報をより大きく配置し見やすくすることもできる。また、操作用のアイコンを新たに付加する必要がないので、画面上に操作の複雑さや煩雑さが表れてしまうのを防ぐことができる。
【００１１】
加えて、タッチスライド動作を操作入力として受け付けられるようにしているので、例えば画像をタッチスライド方向に合わせて移動させてページめくりを行う等といった操作を直観的に行うこともできる。
【００１２】
タッチスライド動作によって、多くの画面の操作を可能とするには、前記画像には複数の表示領域があり、前記入力方向検出部は、前記表示領域ごとに入力受付方向がそれぞれ設定されており、前記ガイド表示部は、操作者がタッチした表示領域に設定されている入力受付方向を示すガイドを表示するように構成されたものであればよい。
【００１３】
表示領域ごとに異なる態様で前記画像の表示態様を変更できるようにしても、操作者に操作方法が分かりやすく直観的に理解できるようにするには、前記ガイド表示部が、操作者がタッチした表示領域に設定されている入力受付方向を示すガイドを、タッチされている表示領域内に表示するように構成されたものであればよい。
【００１４】
タッチスライド動作により前記画像の表示態様の変化と、前記ガイドの関連性を強くし、より操作者が直観的に操作することができるようにするための具体的な実施の態様としては、前記複数の表示領域が、前記化学測定により測定された測定値を表示する測定値表示領域と、前記化学測定により測定された測定値以外の情報を表示する情報表示領域とからなり、前記入力方向検出部が前記測定値表示領域において前記入力受付方向へのタッチスライド動作を検出した場合には、前記表示制御部が前記測定値表示領域のみ表示態様を変更するように構成されており、前記入力方向検出部が前記情報表示領域において前記入力受付方向へのタッチスライド動作を検出した場合には、前記表示制御部が前記画像全体の表示態様を変更するように構成されているものであればよい。
【発明の効果】
【００１５】
このように本発明によれば、どの方向にタッチスライド動作すれば、表示されている画像の表示態様を変更することができるのかについて直観的に理解することができる。また、前記ガイドがタッチされていない間は表示されないように構成されているので、多種の操作をタッチスライド操作に設定したとしてもアイコン等の操作ボタンが画像上に増えることがなく、画面表示のデザイン性や美観をよいものにしやすい。
【図面の簡単な説明】
【００１６】
【図１】本発明の一実施形態に係る分析装置の模式的全体斜視図。
【図２】同実施形態の分析装置の機能ブロック図。
【図３】同実施形態におけるタッチパネルディスプレイに表示される各ページの具体例。
【図４】同実施形態におけるアナログ計表示ページにおいてタッチされていない状態とタッチされている状態を示す模式図。
【図５】同実施形態におけるアナログ計表示ページにおいて測定値表示領域で左方向、右方向にタッチスライド動作が入力された際の変化を示す模式図。
【図６】同実施形態におけるアナログ計表示ページにおいて測定値表示領域で上方向、下方向にタッチスライド動作が入力された際の変化を示す模式図。
【図７】同実施形態におけるアナログ計表示ページにおいて情報表示領域にタッチされている状態を示す模式図。
【図８】同実施形態におけるアナログ計表示ページにおいて情報表示領域で左方向、右方向にタッチスライド動作が入力された際の変化を示す模式図。
【図９】同実施形態における時系列表示ページにおいてタッチされていない状態と、タッチされている状態とを示す模式図。
【図１０】同実施形態における時系列表示ページにおいて測定値表示領域で左方向、右方向にタッチスライド動作が入力された際の変化を示す模式図。
【図１１】同実施形態における時系列表示ページにおいて測定値表示領域で上方向、下方向にタッチスライド動作が入力された際の変化を示す模式図。
【図１２】同実施形態における時系列表示ページにおいて情報表示領域にタッチされている状態を示す模式図。
【図１３】同実施形態における数値表示ページにおいて情報表示領域にタッチされている状態を示す模式図。
【発明を実施するための形態】
【００１７】
本発明の一実施形態について図面を参照しながら説明する。
【００１８】
本実施形態の分析装置１００は、図１に示すように、測定対象物に接触させるプローブ２と、そのプローブ２に無線又は有線ケーブルＣＬで接続された本体１とを備えたものであり、前記測定対象物のｐＨ、酸化還元電位、イオン濃度、導電率、溶存酸素を測定して前記本体１に設けたタッチパネルディスプレイ３にその測定値を表示するものである。
【００１９】
各部を詳述すると、プローブ２は測定目的に応じて複数種類、すなわちｐＨ測定用プローブ２、酸化還元電位用プローブ、イオン濃度測定用プローブ、導電率測定用プローブ、溶存酸素測定用プローブが用意してあり、測定目的に対応するプローブ２を本体１に接続して使用するように構成してある。本実施形態では、ｐＨ測定用プローブを代表例として以下の説明を行う。
【００２０】
このｐＨ測定用プローブは、ｐＨ電極と比較電極とを一体化して備えたいわゆる複合電極と称されるものであり、先端部に前記ｐＨ電極及び比較電極の感応部を露出させてあり、これを水溶液などの測定対象物に接触させ得るように構成してある。前記ｐＨ電極、及び比較電極で発生した電位差は、プローブ信号として出力されるようにしてある。なお、図１中では、通常のガラス電極のものを示しているが、これに限られるものではなく、例えば先端の尖ったニードル型のものであってもよいし、ｐＨ電極と比較電極とが別体のもの等、その他種々のタイプのプローブであってもよいことは言うまでもない。
【００２１】
前記本体１は、ハードウェア構成として、ＣＰＵ、Ａ／Ｄコンバータ、メモリ、入出力手段とディスプレイが一体となったタッチパネルディスプレイ３等を一体的に備えたものである。そして、前記ＣＰＵや必要に応じてその周辺機器が、前記メモリに記憶されているプログラムに基づいて動作することにより、図２の機能ブロック図に示すように少なくとも入力方向検出部４、表示制御部５、ガイド表示部６としての機能を発揮するように構成してある。
【００２２】
各部について説明する。
【００２３】
前記タッチパネルディスプレイ３は、表面型静電容量方式のものであり、シングルタッチ方式のものである。そして、前記タッチパネルディスプレイ３は、少なくともタッチ、タッチスライド動作を検出可能に構成してある。ここで、タッチとはマウスにおけるクリック、タッチスライド動作とはマウスにおけるドラッグ等に相当する動作である。また、タッチ、タッチスライド動作は操作者が指等で直接タッチパネルディスプレイ３を触ることにより行われるが、他の検出方式のものであれば、例えばペンやスタイラス等を用いてタッチ、タッチスライド動作を行い検出するようにしても構わない。
【００２４】
前記入力方向検出部４は、前記タッチパネルディスプレイ３から出力されるタッチ検出信号に基づいて、タッチスライド動作の入力方向を検出するものであり、予め設定された複数の入力受付方向のうち、どの方向にタッチスライド動作が入力されたかを検出するように構成してある。つまり、前記入力方向検出部４は、予め定められた入力受付方向以外の方向へタッチスライド動作が入力されてもタッチスライド動作としては検出しないことになる。また、前記入力方向検出部４は、入力受付方向へとタッチスライド動作が入力された際にそのタッチスライド動作がされた距離についても検出するようにしてある。
【００２５】
前記表示制御部５は、前記タッチパネルディスプレイ３に前記画像を表示するものであり、前記入力方向検出部４により検出されたタッチスライド動作の方向に応じて前記画像の表示態様を変更するものである。
【００２６】
本実施形態では、前記表示制御部５の表示する画像はｐＨ測定値を表示するものであり、図３（ａ）（ｂ）（ｃ）で順に示すようにｐＨ測定値をアナログ計表示するアナログ計表示ページと、ｐＨ測定値を時系列データのグラフとして表示する時系列表示ページと、現時点でのｐＨ測定値の値そのものを表示する数値表示ページとを少なくとも含むものである。これらの各ページはタッチスライド動作により切り替えられるように構成してある。
【００２７】
そして、前記画像の各ページは、複数の表示領域が設定してあり、ｐＨ測定値又はｐＨ測定値をグラフ表示する又はアナログ計により表示がされる測定値表示領域Ａ１と、前記測定値表示領域Ａ１の周囲に設定されており、その他の情報、例えば、日時、各種アイコンで表示される操作キー、周囲温度、操作モード表示等も含んで表示する情報表示領域Ａ２とが設定してある。これらの各表示領域にはそれぞれ別々に前記入力受付方向が複数設定してあり、それぞれの入力受付方向ごとに前記表示制御部５が画像の表示態様を変更する際の動作を異ならせてある。なお、前記入力方向検出部４により入力受付方向へタッチスライド動作が入力されたことが検出された場合において前記表示制御部５が前記画像の表示態様を変更する構成及び動作の詳細については、後述する前記ガイド表示部６の構成及び動作の説明と併せて説明する。また、以下の説明では測定値表示領域Ａ１を示すために図面において二点鎖線により仮想的に示しているが、実際の画面ではこの二点鎖線は表示されていない。
【００２８】
前記ガイド表示部６は、前記タッチパネルディスプレイ３に操作者がタッチした場合に、前記画像上に前記入力受付方向を示すガイド４１をさらに表示するものである。より具体的には、前記ガイド表示部６は、操作者がタッチした表示領域に設定されている入力受付方向のみを示すようにガイド４１を表示するようにしてある。以下では、前記画像がアナログ計表示ページの場合を例として具体的に説明する。図４（ａ）はタッチパネルディスプレイ３に対して操作者がタッチしていない状態を示すものである。操作者がタッチしていない場合には、ガイド４１は何も表示されていないが、操作者が前記測定値表示領域Ａ１をタッチすると、図４（ｂ）に示すように前記ガイド表示部６は、当該測定値表示領域Ａ１内に入力受付方向が設定されている方向にガイド４１である矢印を表示する。本実施形態では、アナログ計表示ページ及び時系列表示ページにおける前記測定値表示領域Ａ１にタッチすると上下左右４方向に入力受付方向が予め設定してあるので、それぞれに対応した４つの矢印が表れることになる。
【００２９】
次に、このアナログ計表示ページの測定値表示領域Ａ１においてタッチスライド動作が各入力受付方向に行われた際の前記表示制御部５の動作について説明する。
【００３０】
図５に示すように前記測定値表示領域Ａ１内において左右方向へのタッチスライド動作が検出されると、前記表示制御部５は、アナログ計の数値表示範囲を変更するように構成してある。より具体的には、図５（ａ）に示すように前記入力方向検出部４により左方向へのタッチスライド動作が検出されると、前記表示制御部５は、アナログ計のレンジ及び目盛３４ごとの単位を保ったまま、最大表示値３１と最小表示値３２が所定量だけ小さくなるように数値表示範囲を変更する。逆に、図５（ｂ）に示すように前記入力方向検出部４により右方向へのタッチスライド動作が検出されると、前記表示制御部５は、アナログ計のレンジ及び目盛３４ごとの単位を保ったままアナログ計の最大表示値３１と最小表示値３２が所定量だけ大きくなるように数値表示範囲を変更する。
【００３１】
一方、図６に示すように前記測定表示領域内において上下方向へのタッチスライド動作が検出されると、前記表示制御部５は、アナログ計の中央値３３の値を保ったまま前記目盛３４の１目盛りの変化量を変更して表示するようにしてある。より具体的には、図６（ａ）に示すように上方向にタッチスライド動作が入力された場合には、前記表示制御部５はアナログ計の１目盛り当たりの変化量を小さくし、逆に図６（ｂ）に示すようにした方向にタッチスライド動作が入力された場合には、１目盛当たりの変化量を大きくするように構成してある。
【００３２】
また、図７に示すように前記情報表示領域Ａ２に操作者がタッチすると、前記ガイド４１表示は、前記タッチパネルディスプレイ３の左右端にガイド４１が表示する。本実施形態では、前記入力方向検出部４には、前記情報表示領域Ａ２において左右方向にのみ入力受付方向が設定してあるので、２つの矢印のみが前記ガイド表示部６によって表示されることになる。
【００３３】
次に、このアナログ計表示ページの情報表示領域Ａ２においてタッチスライド動作が各入力受付方向に行われた際に、前記表示制御部５の動作について説明する。
【００３４】
図８に示すように、前記情報表示領域Ａ２において左右方向へのタッチスライド動作が入力方向検出部４により検出されると、前記表示制御部５は、現在表示されているページから別のページへ切り替えて表示するようにしてある。この切り替えの際、前記表示制御部５は、現在表示しているページを画面外へと移動させつつ、別のページが画面内へと入ってくるように連続的に変化させながら表示の切り替えを行う。
【００３５】
より具体的には、前記アナログ計表示ページの情報表示領域Ａ２において左方向へのタッチスライド動作が検出された場合には、図８（ａ）に示すように前記表示制御部５は、前記アナログ計表示ページを画面の左側へと移動させて、アナログ計表示ページのページ左端から順に画面外にでて表示されないようにしつつ、同時に画面の右側から数値表示ページをページ左端から順に入ってくるように表示する。逆に右方向へのタッチスライド動作が前記情報表示領域Ａ２で検出された場合には、図８（ｂ）に示すように前記表示制御部５は、前記アナログ計表示ページを右側へと移動させて右端から順に外面外にでて表示されないようにしつつ、同時に左側から時系列表示ページのページ右端から順に入ってくるように表示する。
【００３６】
次に、この時系列表示ページの測定値表示領域Ａ１においてタッチスライド動作が各入力受付方向に行われた際の前記表示制御部５の動作について説明する。
【００３７】
前記アナログ計表示ページと同様にこの時系列表示ページでも、前記タッチパネルディスプレイ３にタッチがされていない場合には、図９（ａ）に示すようにガイド４１は表示されない。また、この時系列表示ページでも、前記測定値表示領域Ａ１にタッチされると上下左右４方向に入力受付方向が設定してあるので、図９（ｂ）に示すように前記ガイド表示部６は４方向にそれぞれ矢印を表示する。
【００３８】
図１０に示すように前記測定値表示領域Ａ１内において左右方向へのタッチスライド動作が検出されると、前記表示制御部５は、前記アナログ計表示ページの場合と同様に時系列データのグラフの数値表示範囲を変更するように構成してある。より具体的には、図１０（ａ）に示すように前記入力方向検出部４により左方向へのタッチスライド動作が検出されると、前記表示制御部５は表示点数を保ったまま、最新データ側へと表示範囲を変更する。逆に、図（ｂ）に示すように前記入力方向検出部４により右方向へのタッチスライド動作が検出されると、前記表示制御部５は表示点数を保ったまま、過去データ側へと表示範囲を変更する。
【００３９】
一方、図１１に示すように前記測定表示領域内において上下方向へのタッチスライド動作が検出されると、前記表示制御部５は、時系列表示を行うグラフの中央値３３の値を保ったまま１目盛り当たりの変化量を変更して表示するようにしてある。より具体的には、図１１（ａ）に示すように上方向にタッチスライド動作が入力された場合には、前記表示制御部５はグラフにおけるＹ軸方向の１目盛り当たりの変化量を小さくし、逆に図１１（ｂ）に示すように下方向にタッチスライド動作が入力された場合には、１目盛り当たりの変化量を大きくするように構成してある。
【００４０】
このように、前記アナログ計表示ページと前記時系列表示ページの双方の測定値表示領域Ａ１におけるタッチスライド動作に対する動作は、それぞれ対応させて設定してある。すなわち、左右方向にタッチスライド動作を行った場合には、前記目盛３４の１目盛り当たりの単位を変化させることなく表示区間を変更させるものであり、上下方向にタッチスライド動作を行った場合には、表示分解能を変更するように共通させて設定してある。このようにそれぞれのページの入力方向とその対応する変化を共通にしてあるので、ガイド４１の表示によりタッチスライド動作の入力受付方向がより明確になり操作者が直観的に操作できるようになる。
【００４１】
また、図１２及び図１３に示すように前記時系列表示ページ及び前記数値表示ページにおける情報表示領域Ａ２にタッチされた場合にも、前記ガイド表示部６は、画面の左右両端にガイド４１を表示し、別のページの切り替えをタッチスライド動作で行うことができることを示すようにしてある。
【００４２】
このように構成された本実施形態の分析装置１００によれば、表示領域をタッチした時点で前記ガイド表示部６がタッチスライド動作を入力すべき方向を示すガイド４１を画像上にさらに表示するよう構成してあるので、操作者は特に説明を受けなくてもどのように操作すれば画面表示等が変化することを簡単に察することができる。従って、初めて使用する人であっても直観的に操作方法を理解することができる。
【００４３】
しかも、前記ガイド４１はタッチされない間は表示されないので、上述したように表示領域に複数の動作を設定しても、操作ガイド４１によって画面が埋め尽くされないようにできる。
【００４４】
つまり、従来であれば表示領域ごとに複数の操作を設定して多機能にしようとすると、画面構成が複雑化しデザイン性もよくないものになってしまうところ、本実施形態の分析装置１００であれば、前述したような前記ガイド表示部６により生じる効果によって、多彩な操作を可能にしつつ、使いやすいさとデザイン性とを両立したものとすることができる。
【００４５】
その他の実施形態について説明する。
【００４６】
前記実施形態では、前記入力受付方向は上下方向又は左右方向のいずれかに設定してあったがその他の方向に入力受付方向を設定しても構わない。具体的には、斜め方向等に設定しても構わない。また、前記タッチパネルディスプレイでは、シングルタッチのものを用いていたが例えばダブルタッチの検出ができるものであっても構わない。この場合、前記タッチパネルディスプレイにおいてダブルタッチが検出された場合には、前記ガイド表示部が、同時に二つの方向への入力を促すようなガイドを表示するにしてもよい。例えば、回転や２つの入力方向が逆向きのタッチスライド動作を促すようなガイドを表示すればよい。さらに、前記ガイド表示部は、ガイドとして予め設定されている入力受付方向を矢印により示すものであったが、その他の表記によりガイド機能を果たすようにしても構わない。例えばガイドが矢印とともに操作後の動作内用等を図示又は言葉で表示するようにしても構わない。
【００４７】
前記実施形態では、２つの表示領域を設定していたが、１つしか設定していない場合、あるいは更に多数の表示領域が設定してあってもよい。また、タッチスライド動作の入力距離に応じて、グラフやアナログ計の表示区間の変更量を比例させて変更してもよい。ページ切り替えの速さ等も入力距離に応じて変更してもよい。
【００４８】
前記実施形態では、携帯型の分析装置を例として説明を行っているが、例えば据え置き型の分析装置において本発明を用いても構わない。
【００４９】
その他、本発明の趣旨に反しない限りにおいて、様々な変形や実施形態の組み合わせを行っても構わない。
【符号の説明】
【００５０】
１００・・・分析装置
３    ・・・タッチパネルディスプレイ
４    ・・・入力方向検出部
５    ・・・表示制御部
６    ・・・ガイド表示部
Ａ１  ・・・測定値表示領域
Ａ２  ・・・情報表示領域
【図１】
2012184971.tif 000003
【図２】
2012184971.tif 000004
【図３】
2012184971.tif 000005
【図４】
2012184971.tif 000006
【図５】
2012184971.tif 000007
【図６】
2012184971.tif 000008
【図７】
2012184971.tif 000009
【図８】
2012184971.tif 000010
【図９】
2012184971.tif 000011
【図１０】
2012184971.tif 000012
【図１１】
2012184971.tif 000013
【図１２】
2012184971.tif 000014
【図１３】
2012184971.tif 000015